(57)【要約】【課題】  ユーザにデータを送信させる余計な手間や負荷を従来に比べて大幅に減らすことができる出力装置を提供することを目的とする。【解決手段】  上位装置と双方向通信が可能な画像形成に関わる機能を有する出力装置において、上位装置からデータを逐次受信し解析する手段と、データ解析中にデータを保存する処理が必要か否かを判断する第１の判断手段と、必要と判断した場合に、それ以降受信するデータを一旦保存する切り替え手段と、保存終了後に一連の画像形成処理を行う手段を備える。【選択図】        図１
2007008115.tif 000002
【特許請求の範囲】
【請求項１】
上位装置と双方向通信が可能な画像形成に関わる機能を有する出力装置において、上位装置からデータを逐次受信し解析する手段と、データ解析中にデータを保存する処理が必要か否かを判断する第１の判断手段と、必要と判断した場合に、それ以降受信するデータを一旦保存する切り替え手段と、保存終了後に一連の画像形成処理を行う手段を備えることを特徴とする出力装置。
【請求項２】
前記受信データの保存手段は、受信データを出力装置のメモリ、または記憶装置に保存することを特徴とする請求項１に記載の出力装置。
【請求項３】
前記受信データの保存手段は、受信データを外部記憶装置に保存することを特徴とする請求項１に記載の出力装置。
【請求項４】
前記第１の判断手段により、受信するデータを保存する処理が必要と判断した場合に、上位装置からデータの再送が必要か否かを判断する第２の判断手段と、第２の判断手段によりデータの再送が必要と判断した場合に、上位装置にデータの再送要求を自動で行う手段と、実際にデータを受信する手段を備えることを特徴とする請求項１乃至請求項３のいずれかに記載の出力装置。
【請求項５】
上位装置と双方向通信が可能な画像形成に関わる機能を有する出力装置において、メモリ、記憶装置、あるいは、外部記憶装置が存在する場合に、予め上位装置から受信するデータを保存しておく手段と、データ解析中にデータを保存する処理が必要か否かを判断する前記第１の判断手段と、必要と判断した場合に、前記予め保存したデータを使って解析処理を継続する切り替え手段を備えることを特徴とする出力装置。
【発明の詳細な説明】
【技術分野】
【０００１】
この発明は、シングルファンクションプリンタ、マルチファンクションプリンタ等の画像形成に関する機能を有する出力装置に関し、特に、ＬＡＮ等によって複数の上位装置と接続されて共用される出力装置に関する。
【背景技術】
【０００２】
従来、上位装置からデータを受信して処理を行う出力装置は、データを受信して解析、展開、出力といった一連の画像形成処理を行うだけの十分なメモリ容量があるか否かを、データを受信（送信する）する前に判断して処理方法を決定する技術は存在するが、データ処理中にデータの内容に応じて処理方法を動的に切り替えることが実現されることは極めて稀であった。なお、前記データを受信する前に使用できるメモリ容量を基に処理方法を決定する技術の一例として、出力装置のステータスデータを上位装置に送信する際に、送信バッファに書き込めない場合は、外部記憶装置に保存しておく技術がある（例えば、特許文献１参照）。
【特許文献１】特開平９−２００２７２号公報
【発明の開示】
【発明が解決しようとする課題】
【０００３】
本発明では、出力装置がデータ処理中であっても、データの内容に応じて処理方法を動的に切り替えることができるようにして、ユーザが上位装置から送信したデータに対して処理上の問題が発生して、再度、ユーザにデータを送信させる余計な手間や負荷を従来に比べて大幅に減らすことができる出力装置を提供することを目的とする。
【課題を解決するための手段】
【０００４】
本発明は、上記目的を達成するため、請求項１に記載の発明では、上位装置と双方向通信が可能な画像形成に関わる機能を有する出力装置において、上位装置からデータを逐次受信し解析する手段と、データ解析中にデータを保存する処理が必要か否かを判断する第１の判断手段と、必要と判断した場合に、それ以降受信するデータを一旦保存する切り替え手段と、保存終了後に一連の画像形成処理を行う手段する手段を備える。
【０００５】
請求項２に記載の発明では、前記受信データの保存手段は、受信データを出力装置のメモリ、または記憶装置に保存する手段を備える。
【０００６】
請求項３に記載の発明では、前記受信データの保存手段は、受信データを外部記憶装置に保存する手段を備える。
【０００７】
請求項４に記載の発明では、前記第１の判断手段により、受信するデータを保存する処理が必要と判断した場合に、上位装置からデータの再送が必要か否かを判断する第２の判断手段と、第２の判断手段によりデータの再送が必要と判断した場合に、上位装置にデータの再送要求を自動で行う手段と、実際にデータを受信する手段を備える。
【０００８】
請求項５に記載の発明では、上位装置と双方向通信が可能な画像形成に関わる機能を有する出力装置において、メモリ、記憶装置、あるいは、外部記憶装置が存在する場合に、予め上位装置から受信するデータを保存しておく手段と、データ解析中にデータを保存する処理が必要か否かを判断する前記第１の判断手段と、必要と判断した場合に、前記予め保存したデータを使って解析処理を継続する切り替え手段を備える。
【発明の効果】
【０００９】
本発明によれば、出力装置がデータ処理中であっても、データの内容に応じて処理方法を動的に切り替えることにより、ユーザが上位装置から送信したデータに対して処理上の問題が発生して、再度、ユーザにデータを送信させる余計な手間や負荷を従来に比べて大幅に減らすことが可能となる。
【発明を実施するための最良の形態】
【００１０】
以下、図面を参照して本発明の実施形態について説明する。
【実施例】
【００１１】
図１は、本発明の実施例を示す出力装置システムの全体の構成を説明するブロック図である。
【００１２】
本出力装置２００は、画像入力デバイスであるスキャナ部２０７０、画像出力デバイスであるプリンタ部２０９５、Ｃｏｎｔｒｏｌｌｅｒ  Ｕｎｉｔ  ２０００、ユーザーインターフェースである操作部２０１２から構成される。スキャナ部２０７０、プリンタ部２０９５、操作部２０１２は、それぞれＣｏｎｔｒｏｌｌｅｒ  Ｕｎｉｔ  ２０００に接続され、Ｃｏｎｔｒｏｌｌｅｒ  Ｕｎｉｔ  ２０００は、ＬＡＮ２０１１などのネットワーク伝送手段に接続されている。また、ＬＡＮ２０１１には、出力装置２００と同様の機器構成をもつ他の出力装置２２０、２３０、ならびにＰＣ３００、３１０が接続されている。出力装置２２０、２３０は、それぞれスキャナ部２２７０、２３７０、プリンタ部２２９５、２３９５、操作部２２１２、２３１２を持ち、それらがＣｏｎｔｒｏｌｌｅｒ  Ｕｎｉｔ  ２２００、２３００に接続されている。
【００１３】
図２は、本発明の実施例を示す出力装置の構成を説明するブロック図である。
【００１４】
Ｃｏｎｔｒｏｌｌｅｒ  Ｕｎｉｔ  ２０００は画像入力デバイスであるスキャナ２０７０や画像出力デバイスであるプリンタ２０９５と接続し、一方ではＬＡＮ２０１１や公衆回線（ＷＡＮ）２０５１接続することで、画像情報やデバイス情報の入出力を行う為のコントローラである。ＣＰＵ２００１はシステム全体を制御するコントローラである。ＲＡＭ２００２はＣＰＵ２００１が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００６は操作部（ＵＩ）２０１２とのインターフェース部で、操作部２０１２に表示する画像データを操作部２０１２に対して出力する。また、操作部２０１２から本システム使用者が入力した情報を、ＣＰＵ２００１に伝える役割をする。Ｎｅｔｗｏｒｋ２０１０はＬＡＮ２０１１に接続し、情報の入出力を行う。Ｍｏｄｅｍ２０５０は公衆回線２０５１に接続し、情報の入出力を行う。以上のデバイスがシステムバス２００７上に配置される。
【００１５】
Ｉｍａｇｅ  Ｂｕｓ  Ｉ／Ｆ２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。ラスターイメージプロセッサ（ＲＩＰ）２０６０はＰＤＬコードをビットマップイメージに展開する。デバイスＩ／Ｆ部２０２０は、出力デバイスであるスキャナ２０７０やプリンタ２０９５とコントローラ２０００を接続し、画像データの同期系／非同期系の変換を行う。スキャナ画像処理部２０８０は、入力画像データに対し補正、加工、編集を行う。プリンタ画像処理部は、プリント出力画像データに対して、プリンタの補正、解像度変換等を行う。画像回転部２０３０は画像データの回転を行う。画像圧縮部２０４０は、多値画像データはＪＰＥＧ、２値画像画像データはＪＢＩＧ、ＭＭＲ、ＭＨの圧縮伸張処理を行う。
【００１６】
出力装置の外観を図３に示す。
【００１７】
画像入力デバイスであるスキャナ部２０７０は、原稿となる紙上の画像を照明し、ＣＣＤラインセンサ（図示せず）を走査することで、ラスターイメージデータ２０７１として電気信号に変換する。原稿用紙は原稿フィーダ２０７２のトレイ２０７３にセットし、装置使用者が操作部２０１２から読み取り起動指示することにより、コントローラＣＰＵ２００１がスキャナ２０７０に指示を与え（２０７１）、フィーダ２０７２は原稿用紙を１枚ずつフィードし原稿画像の読み取り動作を行う。
【００１８】
画像出力デバイスであるプリンタ部２０９５は、ラスターイメージデータ２０９６を用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ２００１からの指示２０９６によって開始する。プリンタ部２０９５には、異なる用紙サイズまたは異なる用紙向きを選択できるように複数の給紙段を持ち、それに対応した用紙カセット２１０１、２１０２、２１０３、２１０４がある。また、排紙トレイ２１１１は印字し終わった用紙を受けるものである。
【００１９】
［発明の第１の実施例］
次に、以上のように構成された出力装置２００の動作につき、第１の実施例を説明する。
【００２０】
本発明中の出力装置２００のデータ処理手順を図４で示されるフローチャートを用いて説明する。
【００２１】
まず、ステップ（１）で、出力装置２００の紙なし、紙ジャム、ドアオープン等のエンジンステータス状態、及び操作部２０１２のスイッチの押下状態を監視するパネル状態チェックを行う。次に、ステップ（２）で、受信すべきデータが存在するか否かを判断して、Ｙｅｓの場合は、ステップ（３）で受信処理を行う。次に、ステップ（４）で、受信データの解析処理を行う。なお、詳細については、図５を用いて説明する。次に、ステップ（５）で解析した結果をビットマップパターンに展開して所定のメモリ２００２に格納する展開処理を行う。続いて、ステップ（６）では、ステップ（５）で所定のメモリ２００２に格納されたデータをビデオ信号として印刷部であるプリンタ２０９５に出力する出力処理を行う。次に、ステップ（７）で、受信すべきデータが存在するか否かにより、Ｙｅｓの場合は、ステップ（３）へ戻り、Ｎｏの場合は、本処理を終了する。
【００２２】
次に、前記図４中のステップ（４）の解析処理を図５のフローチャートを用いて説明する。
【００２３】
まず、ステップ（１）において、データを保存する処理が必要か否かにより、Ｙｅｓの場合は、ステップ（２）で、受信、解析といった処理を行うための十分なメモリ２００２（予め閾値を設定しておきその値以上のメモリが使用できるかどうかにより判断してもよい）、またはハードディスク２００４等の記憶装置が存在するか否かにより、Ｙｅｓの場合は、ステップ（３）で、データをメモリ２００２、または記憶装置２００４に保存し、ステップ（４）へ進み、Ｎｏの場合は、ステップ（７）へ進む。ステップ（１）でＮｏの場合は、ステップ（６）へ進み、通常通り解析処理を行い、ステップ（８）で解析処理が終了したか否かにより、Ｙｅｓの場合は、本処理を終了し、Ｎｏの場合は、ステップ（１）へ戻る。
【００２４】
ステップ（４）へ進んだ場合は、データを保存する処理が終了したか否かにより、Ｙｅｓの場合は、ステップ（５）で解析処理を継続して、ステップ（８）へ進む。Ｎｏの場合は、ステップ（３）へ戻りデータを保存する。また、ステップ（７）へ進んだ場合は、操作部２０１２へエラーメッセージの表示を行う等エラーの処理を行い、本処理を終了する。
【００２５】
［発明の第２の実施例］
次に本発明の第２の実施例について説明する。
【００２６】
本実施例は、前記実施例１の図５中のステップ（２）の判断処理（処理を行うための十分なメモリ２００２、またはハードディスク２００４等の記憶装置が存在するか否かを判断）において、Ｎｏと判断した場合に、出力装置２００に接続された外部の記憶装置（ＰＣ３００やＰＣ３１０）にデータを保存するものである。
【００２７】
出力装置２００のデータ処理手順に関しては、第１の実施例で示した図４のフローチャートと同様なため、説明を省略する。
【００２８】
ここでは、図４中のステップ（４）の解析処理を図６のフローチャートを用いて説明する。
【００２９】
まず、ステップ（１）において、データを保存する処理が必要か否かにより、Ｙｅｓの場合は、ステップ（２）で、受信、解析といった処理を行うための十分なメモリ２００２、またはハードディスク２００４等の記憶装置が存在するか否かにより、Ｙｅｓの場合は、ステップ（３）で、データをメモリ２００２、または記憶装置２００４に保存し、ステップ（４）へ進み、Ｎｏの場合は、ステップ（８）へ進む。ステップ（１）でＮｏの場合は、ステップ（７）へ進み、通常通り解析処理を行い、ステップ（１１）で解析処理が終了したか否かにより、Ｙｅｓの場合は、本処理を終了し、Ｎｏの場合は、ステップ（１）へ戻る。
【００３０】
ステップ（４）へ進んだ場合は、データを保存する処理が終了したか否かにより、Ｙｅｓの場合は、ステップ（５）で解析処理を継続して、ステップ（１１）へ進む。Ｎｏの場合は、ステップ（６）で、データを保存する処理を行い、ステップ（４）へ戻る。
【００３１】
また、ステップ（８）へ進んだ場合は、出力装置２００に接続された外部の記憶装置ＰＣ３００（ｏｒ  ＰＣ３１０）へデータの保存が可能か否かを判断して、Ｙｅｓの場合は、ステップ（９）でデータを外部記憶装置ＰＣ３００へ保存し、ステップ（４）へ進み、Ｎｏの場合は、ステップ（１０）でエラーの処理を行い、本処理を終了する。
【００３２】
［発明の第３の実施例］
次に本発明の第３の実施例について説明する。
【００３３】
本実施例は、前記実施例１の図５中のステップ（１）の判断処理（データを一旦保存する必要があるか否かを判断）において、Ｙｅｓと判断した場合に、さらに、上位装置ＰＣ３００からデータの再送が必要か否かを判断して、Ｙｅｓと判断した場合に、上位装置ＰＣ３００からデータの再送要求を自動で行い、実際に受信して画像形成処理を継続するものである。
【００３４】
出力装置２００のデータ処理手順に関しては、第１、第２の実施例で示した図４のフローチャートと同様なので、説明を省略する。
【００３５】
ここでは、図４中のステップ（４）の解析処理について図７のフローチャートを用いて説明する。
【００３６】
まず、ステップ（１）において、データを保存する処理が必要か否かにより、Ｙｅｓの場合は、ステップ（２）で、上位装置ＰＣ３００からデータの再送が可能か否かを判断して、Ｙｅｓの場合は、ステップ（３）へ進み、Ｎｏの場合は、ステップ（５）へ進む。ステップ（３）では、上位装置ＰＣ３００からデータの再送が可能な否かを双方向通信機能を使って確認し、Ｙｅｓの場合は、ステップ（４）で、上位装置ＰＣ３００へデータの再送要求を出し、Ｎｏの場合は、ステップ（１０）へ進む。ステップ（５）へ進んだ場合は、受信、解析といった処理を行うための十分なメモリ２００２、またはハードディスク２００４等の記憶装置が存在するか否かにより、Ｙｅｓの場合は、ステップ（６）で、データをメモリ２００２、または記憶装置２００４に保存し、ステップ（７）へ進み、Ｎｏの場合は、ステップ（１０）へ進む。
【００３７】
ステップ（１）でＮｏの場合は、ステップ（９）へ進み、通常通り解析処理を行い、ステップ（１１）で解析処理が終了したか否かにより、Ｙｅｓの場合は、本処理を終了し、Ｎｏの場合は、ステップ（１）へ戻る。ステップ（７）へ進んだ場合は、データを保存する処理が終了したか否かにより、Ｙｅｓの場合は、ステップ（８）で解析処理を継続して、ステップ（１１）へ進む。Ｎｏの場合は、ステップ（６）へ戻りデータを保存する。また、ステップ（１０）へ進んだ場合は、エラーの処理を行い、本処理を終了する。
【００３８】
［発明の第４の実施例］
次に本発明の第４の実施例について説明する。
【００３９】
本実施例は、前記実施例３の図７中のステップ（５）の判断処理（処理を行うための十分なメモリ２００２、またはハードディスク２００４等の記憶装置が存在するか否かを判断）において、Ｎｏと判断した場合に、出力装置２００に接続された外部の記憶装置（ＰＣ３００やＰＣ３１０）にデータを保存するものである。
【００４０】
出力装置２００のデータ処理手順に関しては、前記実施例で示した図４のフローチャートと同様なので、説明を省略する。
【００４１】
ここでは、図４中のステップ（４）の解析処理について図８のフローチャートを用いて説明する。
【００４２】
まず、ステップ（１）において、データを保存する処理が必要か否かにより、Ｙｅｓの場合は、ステップ（２）で、上位装置ＰＣ３００からデータの再送が可能か否かを判断して、Ｙｅｓの場合は、ステップ（３）へ進み、Ｎｏの場合は、ステップ（５）へ進む。ステップ（３）では、上位装置ＰＣ３００からデータの再送が可能な否かを双方向通信機能を使って確認し、Ｙｅｓの場合は、ステップ（４）で、上位装置ＰＣ３００へデータの再送要求を出し、Ｎｏの場合は、ステップ（１３）へ進む。ステップ（５）へ進んだ場合は、受信、解析といった処理を行うための十分なメモリ２００２、またはハードディスク２００４等の記憶装置が存在するか否かにより、Ｙｅｓの場合は、ステップ（６）で、データをメモリ２００２、または記憶装置２００４に保存し、ステップ（７）へ進み、Ｎｏの場合は、ステップ（１１）へ進む。
【００４３】
ステップ（１）でＮｏの場合は、ステップ（１０）へ進み、通常通り解析処理を行い、ステップ（１４）で解析処理が終了したか否かにより、Ｙｅｓの場合は、本処理を終了し、Ｎｏの場合は、ステップ（１）へ戻る。ステップ（７）へ進んだ場合は、データを保存する処理が終了したか否かにより、Ｙｅｓの場合は、ステップ（９）で解析処理を継続して、ステップ（１４）へ進む。Ｎｏの場合は、ステップ（８）でデータを保存し、ステップ（７）へ戻る。また、ステップ（１１）へ進んだ場合は、出力装置２００に接続された外部の記憶装置ＰＣ３００（ｏｒ  ＰＣ３１０）へデータの保存が可能か否かを判断して、Ｙｅｓの場合は、ステップ（１２）でデータを外部記憶装置ＰＣ３００へ保存し、ステップ（７）へ進み、Ｎｏの場合は、ステップ（１３）へ進む。ステップ（１３）へ進んだ場合は、エラーの処理を行い、本処理を終了する。
【００４４】
［発明の第５の実施例］
次に本発明の第５の実施例について説明する。
【００４５】
本実施例は、出力装置２００において、メモリ２００２、または記憶装置２００４が存在、あるいは、外部記憶装置ＰＣ３００  ｏｒ  ＰＣ３１０が存在する場合に、予め上位装置ＰＣ３００から受信するデータを保存しておき、データ解析中にデータを保存する処理が必要になった場合に、処理方法を自動で切り替え、前記予め保存したデータを使って解析処理を継続するものである。
【００４６】
出力装置２００のデータ処理手順に関しては、前記実施例で示した図４のフローチャートと同様なので、説明を省略する。
【００４７】
ここでは、図４中のステップ（４）の解析処理について図９のフローチャートを用いて説明する。
【００４８】
まず、ステップ（１）において、出力装置２００において、メモリ２００２、または記憶装置２００４が存在するか否かを判断し、Ｙｅｓの場合は、ステップ（２）で、データをメモリ２００２、または記憶装置２００４に保存し、Ｎｏの場合は、ステップ（３）で、出力装置２００に接続された外部の記憶装置ＰＣ３００（ｏｒ  ＰＣ３１０）へデータの保存が可能か否かを判断する。ステップ（３）でＮｏの場合は、ステップ（５）へ進み、Ｙｅｓの場合は、ステップ（４）でデータを外部の記憶装置ＰＣ３００へ保存し、ステップ（５）へ進む。
【００４９】
ステップ（５）では、データを保存する処理が必要か否かにより、Ｎｏの場合は、ステップ（７）へ進み、Ｙｅｓの場合は、ステップ（６）へ進み、データの保存がされているか否かを判断する。Ｙｅｓの場合は、ステップ（７）へ進み、Ｎｏの場合は、ステップ（８）で、データを保存して、解析できる十分なメモリが存在するか否かを判断する。Ｙｅｓの場合は、ステップ（９）で上位装置ＰＣ３００からデータの再送が必要か否かを判断して、Ｙｅｓの場合は、ステップ（１０）へ進み、Ｎｏの場合は、ステップ（１２）へ進む。また、ステップ（８）でＮｏの場合は、ステップ（１４）へ進む。
【００５０】
ステップ（１０）へ進んだ場合は、上位装置ＰＣ３００からデータの再送が可能か否かを双方向通信機能を使って確認して、Ｙｅｓの場合は、ステップ（１１）でデータの再送を要求し、ステップ（１２）へ進み、Ｎｏの場合は、ステップ（１４）へ進む。ステップ（１２）へ進んだ場合は、データの保存が完了したか否かにより、Ｙｅｓの場合は、ステップ（７）へ進み、Ｎｏの場合は、ステップ（１３）でデータの保存をしてステップ（１２）へ戻る。
【００５１】
ステップ（７）へ進んだ場合は、解析処理を継続して、ステップ（１５）で、解析処理が終了したか否かにより、Ｙｅｓの場合は、本処理を終了し、Ｎｏの場合は、ステップ（５）へ戻る。また、ステップ（１４）へ進んだ場合は、エラーの処理を行い、本処理を終了する。
【図面の簡単な説明】
【００５２】
【図１】出力装置システムの全体構成を示す図である。
【図２】出力装置の全体構成を示す図である。
【図３】出力装置の外観図である。
【図４】実施例１における出力装置のデータ処理手順を示すフローチャートである。
【図５】実施例１における出力装置の解析処理手順を示すフローチャートである。
【図６】実施例２における出力装置の解析処理手順を示すフローチャートである。
【図７】実施例３における出力装置の解析処理手順を示すフローチャートである。
【図８】実施例４における出力装置の解析処理手順を示すフローチャートである。
【図９】実施例５における出力装置の解析処理手順を示すフローチャートである。
【符号の説明】
【００５３】
２００    出力装置
２２０    出力装置
２３０    出力装置
３００    ＰＣ
３１０    ＰＣ
２０００  コントローラユニット
２００１  ＣＰＵ
２００２  ＲＡＭ
２００３  ＲＯＭ
２００４  ＨＤＤ
２００５  Ｉｍａｇｅ  Ｂｕｓ  Ｉ／Ｆ
２００６  操作部Ｉ／Ｆ
２００７  システムバス
２００８  画像バス
２０１０  Ｎｅｔｗｏｒｋ
２０１１  ＬＡＮ
２０１２  操作部
２０１３  ＬＣＤ表示部
２０１４  スタートキー
２０１５  ストップキー
２０１６  ＩＤキー
２０１７  リセットキー
２０１８  ２色ＬＥＤ
２０１９  タッチパネルシート
２０２０  デバイスＩ／Ｆ
２０３０  画像回転
２０４０  画像圧縮
２０５０  ＭＯＤＥＭ
２０５１  ＷＡＮ
２０６０  ＲＩＰ
２０７０  スキャナ
２０７１  ラスターイメージデータ
２０７２  原稿フィーダ
２０７３  トレイ
２０８０  スキャナ画像処理
２０９０  プリンタ画像処理
２０９５  プリンタ
２０９６  ラスターイメージデータ
２１０１  用紙カセット
２１０２  用紙カセット
２１０３  用紙カセット
２１１１  排紙トレイ
２２００  コントローラユニット
２２１２  操作部
２２７０  スキャナ
２２９５  プリンタ
２３００  コントローラユニット
２３１２  操作部
２３７０  スキャナ
２３９５  プリンタ
【図１】
2007008115.tif 000003
【図２】
2007008115.tif 000004
【図３】
2007008115.tif 000005
【図４】
2007008115.tif 000006
【図５】
2007008115.tif 000007
【図６】
2007008115.tif 000008
【図７】
2007008115.tif 000009
【図８】
2007008115.tif 000010
【図９】
2007008115.tif 000011